(57)【要約】【課題】再検索対象とする語句そのものを必ずしも指定しなくとも当該語句についての再検索を可能とすること。【解決手段】ジャンプキーを操作してジャンプ機能を起動すると、文字を指定するカーソル１５０及び検索語候補一覧１７０が表示される。検索語候補一覧１７０には、辞書キー６ａ〜６ｅの操作によって指定可能な辞書の種類と、この辞書にジャンプした際に検索語となる検索語候補とが対応付けて表示されている。そして、辞書キー６ａ〜６ｅの何れかを操作すると、操作した辞書キー６に相当する辞書にジャンプし、この辞書に対応する検索語候補を検索語とした再検索が実行される。【選択図】      図２
2004295629.tif 000002
【特許請求の範囲】
【請求項１】
見出し語と該見出し語の説明情報とが対応付けられた情報を集合した集合情報を記憶した情報記憶手段と、
この情報記憶手段に記憶された集合情報の中から見出し語を選択する見出し語選択手段と、
前記情報記憶手段に記憶された集合情報から、前記見出し語選択手段により選択された見出し語に対応する説明情報を読み出し、読み出した説明情報及び前記選択された見出し語を表示する制御を行う第１情報表示制御手段と、
この第１情報表示制御手段により表示制御された情報の中から注目位置を指定する位置指定手段と、
前記集合情報の見出し語の文字種別に適う検索語候補を、前記位置指定手段により指定された注目位置に基づき、前記第１情報表示制御手段により表示制御された情報の中から抽出する抽出手段と、
この抽出手段により抽出された検索語候補を表示する制御を行う検索語候補表示制御手段と、
前記抽出された検索語候補に適合する見出し語に対応する説明情報を前記集合情報から読み出し、読み出した説明情報及び前記適合する見出し語を表示する制御を行う第２情報表示制御手段と、
を備えることを特徴とする情報表示制御装置。
【請求項２】
前記情報記憶手段は、見出し語の文字種別が異なる複数種類の前記集合情報を記憶する手段であり、
前記抽出手段は、前記複数種類の集合情報毎に、当該集合情報の見出し語の文字種別に適う検索語候補を抽出する複数抽出手段を有し、
前記検索語候補表示手段は、前記複数抽出手段によって抽出された検索語候補それぞれを、前記集合情報の種類に対応付けて表示する制御を行う対応付表示制御手段を有する、
ことを特徴とする請求項１に記載の情報表示制御装置。
【請求項３】
集合情報を指定するための前記各集合情報に対応した集合情報指定キーを更に備え、
前記検索語候補表示手段は、前記複数抽出手段により抽出された検索語候補を、前記集合情報指定キーの配置位置関係に則した配列で表示する制御を行う表示位置制御手段を有し、
前記第２表示制御手段は、前記集合情報指定キーの操作によって指定された集合情報から、当該指定された集合情報についての検索語候補に適合する見出し語に対応する説明情報を読み出し、読み出した説明情報及び当該適合する見出し語を表示制御する指定情報表示制御手段を有する、
ことを特徴とする請求項２に記載の情報表示制御装置。
【請求項４】
前記抽出手段は、前記位置指定手段により指定された注目位置に位置する文字の文字種別がアルファベットである場合に、当該アルファベットの文字を仮名文字に変換することにより、変換後の文字を検索語候補として抽出する変換抽出手段を有することを特徴とする請求項１〜３の何れか一項に記載の情報表示制御装置。
【請求項５】
所定の通信回線を介して利用者端末と接続されるサーバにおいて、
見出し語と該見出し語の説明情報とが対応付けられた情報を集合した集合情報を記憶した情報記憶手段と、
この情報記憶手段に記憶された集合情報の中から選択された見出し語を、前記利用者端末から受信する見出し語受信手段と、
この見出し語受信手段により受信された見出し語に対応する説明情報を前記情報記憶手段に記憶された集合情報から読み出し、読み出した説明情報及び前記受信された見出し語を、前記利用者端末に送信する第１情報送信手段と、
この第１情報送信手段により送信した情報の中から指定された注目位置を、前記利用者端末から受信する注目位置受信手段と、
前記集合情報の見出し語の文字種別に適う検索語候補を、前記注目位置受信手段により受信された注目位置に基づき、前記第１情報送信手段により送信した情報の中から抽出する抽出手段と、
この抽出手段により抽出された検索語候補を、前記利用者端末に送信する検索語候補送信手段と、
前記抽出された検索語候補に適合する見出し語に対応する説明情報を前記集合情報から読み出し、読み出した説明情報及び前記適合する見出し語を、前記利用者端末に送信する第２情報送信手段と、
を備えることを特徴とするサーバ。
【請求項６】
コンピュータに、
見出し語と該見出し語の説明情報とが対応付けられた情報を集合した集合情報を記憶する情報記憶機能と、
この情報記憶機能によって記憶された集合情報の中から見出し語を選択する見出し語選択機能と、
前記情報記憶機能によって記憶された集合情報から、前記見出し語選択機能より選択された見出し語に対応する説明情報を読み出し、読み出した説明情報及び前記選択された見出し語を表示する制御を行う情報表示制御機能と、
この情報表示制御機能により表示制御された情報の中から注目位置を指定する位置指定機能と、
前記集合情報の見出し語の文字種別に適う検索語候補を、前記位置指定機能により指定された注目位置に基づき、前記情報表示制御機能により表示制御された情報の中から抽出する抽出機能と、
この抽出機能により抽出された検索語候補を表示する制御を行う検索語候補表示制御機能と、
前記抽出された検索語候補に適合する見出し語に対応する説明情報を前記集合情報から読み出し、読み出した説明情報及び前記適合する見出し語を表示する制御を行う第２情報表示制御機能と、
を実現させるためのプログラム。
【請求項７】
所定の通信回線を介して利用者端末と接続されたコンピュータに、
見出し語と該見出し語の説明情報とが対応付けられた情報を集合した集合情報を記憶する情報記憶機能と、
この情報記憶機能によって記憶された集合情報から選択された見出し語を、前記利用者端末から受信する見出し語受信機能と、
この見出し語受信機能により受信された見出し語に対応する説明情報を前記情報記憶機能によって記憶された集合情報から読み出し、読み出した説明情報及び前記受信された見出し語を、前記利用者端末に送信する第１情報送信機能と、
この第１情報送信機能により送信した情報の中から指定された注目位置を、前記利用者端末から受信する注目位置受信機能と、
前記集合情報の見出し語に適う検索語候補を、前記注目位置受信機能により受信された注目位置に基づき、前記第１情報送信機能により送信した情報の中から抽出する抽出機能と、
この抽出機能により抽出された検索語候補を、前記利用者端末に送信する検索語候補送信機能と、
前記抽出された検索語候補に適合する見出し語に対応する説明情報を前記集合情報から読み出し、読み出した説明情報及び前記適合する見出し語を、前記利用者端末に送信する第２情報送信機能と、
を実現させるためのプログラム。
【発明の詳細な説明】
【０００１】
【発明の属する技術分野】
本発明は、情報表示制御装置、サーバ及びプログラムに関する。
【０００２】
【従来の技術】
従来から、国語辞書や英和辞書、和英辞書等の様々な種類の辞書データベースを内蔵した、電子辞書と呼ばれる情報表示制御装置が知られている。辞書データベースは、見出し語と、該見出し語を説明・解説する説明情報とを対応付けた辞書データを多数記憶している。ユーザは、辞書の種類を指定して入力文字を入力することで、この入力文字に適合する見出し語に対応する説明情報を表示させることができる。
【０００３】
また、電子辞書には、ユーザが所望する情報を効率良く検索可能とするため、例えばジャンプ機能といった様々な機能を備えたものもある。このジャンプ機能とは、検索語に適合する見出し語に対応する説明情報を表示した後、該説明情報中の語句が指定されて所定の指示入力が行われると、この指定された語句に適合する見出し語を再度検索し、該見出し語に対応する説明情報を表示する機能である。
【０００４】
また、複数の辞書間でジャンプを行う場合、再検索の対象となる辞書（即ち、ジャンプ先の辞書）は、次のように指定することができる。（ａ）ジャンプの度に、ユーザが所望の辞書を指定する、或いは、（ｂ）ジャンプ先の辞書を予め設定しておき、常に同一の辞書にジャンプする（例えば、特許文献１参照）といった方法である。
【０００５】
【特許文献１】
特開２００１−１３４５８５号公報
【０００６】
【発明が解決しようとする課題】
ところで、説明情報中の再検索したい語句の指定は、画面上に表示されたカーソルを、キーボードやマウス等の操作によって再検索したい語句の位置まで移動させる、或いは、タッチパネルと一体となって形成されたディスプレイを備える場合には、表示画面上の再検索したい語句の位置をタッチする、等によって実現される。
【０００７】
従って、何れの方法であっても、再検索したい語句そのものを確実に指定する必要があった。即ち、日本語１文字又は英単語１つといった単位で語句が指定されるため、カーソル位置の決定やタッチする位置が１文字でもずれてしまうと、所望の文字についての再検索が実行されない。更に、ジャンプ先の辞書の見出し語の文字種別に適当な文字種別の語句を指定しなければ、ジャンプ（再検索）そのものが実行されないという問題もあった。
【０００８】
上記問題に鑑み、本発明は、再検索対象とする語句そのものを必ずしも指定しなくとも当該語句についての再検索を可能とすることで、情報表示制御装置の使い勝手を向上させることを目的としている。
【０００９】
【課題を解決するための手段】
上記課題を解決するために、請求項１記載の発明は、
見出し語と該見出し語の説明情報とが対応付けられた情報を集合した集合情報（例えば、実施の形態における辞書ＤＢ）を記憶した情報記憶手段（例えば、図３のＲＯＭ４０）と、
この情報記憶手段に記憶された集合情報の中から見出し語を選択する見出し語選択手段（例えば、図３の入力部２０；図１１のステップＳ１２）と、
前記情報記憶手段に記憶された集合情報から、前記見出し語選択手段により選択された見出し語に対応する説明情報を読み出し、読み出した説明情報及び前記選択された見出し語を表示する制御を行う第１情報表示制御手段（例えば、図３のＣＰＵ１０；図１１のステップＳ１２）と、
この第１情報表示制御手段により表示制御された情報の中から注目位置を指定する位置指定手段（例えば、図２のカーソル１５０；図３の入力部２０；図１１のステップＳ１４、Ｓ１７：ＹＥＳ〜Ｓ１８）と、
前記集合情報の見出し語の文字種別に適う検索語候補を、前記位置指定手段により指定された注目位置に基づき、前記第１情報表示制御手段により表示制御された情報の中から抽出する抽出手段（例えば、図３のＣＰＵ１０；図１１のステップＳ１５）と、
この抽出手段により抽出された検索語候補を表示する制御を行う検索語候補表示制御手段（例えば、図３のＣＰＵ１０；図１１のステップＳ１６）と、
前記抽出された検索語候補に適合する見出し語に対応する説明情報を前記集合情報から読み出し、読み出した説明情報及び前記適合する見出し語を表示する制御を行う第２情報表示制御手段（例えば、図３のＣＰＵ１０：図１１のステップＳ２０）と、
を備えることを特徴とする情報表示制御装置（例えば、図１の携帯型電子辞書１）である。
【００１０】
また、請求項６に記載の発明は、
コンピュータに、
見出し語と該見出し語の説明情報とが対応付けられた情報を集合した集合情報（例えば、実施の形態における辞書ＤＢ）を記憶する情報記憶機能と、
この情報記憶機能によって記憶された集合情報の中から見出し語を選択する選択機能（例えば、図１１のステップＳ１２）と、
前記情報記憶機能によって記憶された集合情報から、前記見出し語選択機能により選択された見出し語に対応する説明情報を読み出し、読み出した説明情報及び前記選択された見出し語を表示する制御を行う情報表示制御機能（例えば、図１１のステップＳ１２）と、
この情報表示制御機能により表示制御された情報の中から注目位置を指定する位置指定機能（例えば、図１１のステップＳ１４、Ｓ１７：ＹＥＳ〜Ｓ１８）と、
前記集合情報の見出し語の文字種別に適う検索語候補を、前記位置指定機能により指定された注目位置に基づき、前記情報表示制御機能により表示制御された情報の中から抽出する抽出機能（例えば、図１１のステップＳ１５）と、
この抽出機能により抽出された検索語候補を表示する制御を行う検索語候補表示制御機能（例えば、図１１のステップＳ１６）と、
前記抽出された検索語候補に適合する見出し語に対応する説明情報を前記集合情報から読み出し、読み出した説明情報及び前記適合する見出し語を表示する制御を行う第２情報表示制御機能（例えば、図１１のステップＳ２０）と、
を実現させるためのプログラムである。
【００１１】
ここで、「適合」とは、検索語候補に完全に一致する、或いは、検索語候補の一部が見出し語の一部と部分的に一致する場合を含む意である。
【００１２】
この請求項１又は６に記載の発明によれば、集合情報の中から選択された見出し語及びこの見出し語に対応する説明情報を表示制御するとともに、この表示制御した情報の中から指定された注目位置に基づいて、集合情報の見出し語の文字種別に適う検索語候補を抽出することができる。そして、抽出した検索語候補を表示制御するとともに、この検索語候補に適合する見出し語に対応する説明情報及びこの見出し語を表示制御することができる。即ち、注目位置に基づいて、集合情報の見出し語の文字種別に適う語句が検索語候補として抽出されるので、例えば指定した注目位置とユーザが検索したい語句の位置とが必ずしも一致しなくとも、当該語句を検索語候補として抽出し、この語句についての再検索が可能となる。
【００１３】
また、請求項２に記載の発明のように、請求項１に記載の情報表示制御装置において、
前記情報記憶手段は、見出し語の文字種別が異なる複数種類の前記集合情報を記憶する手段であり、
前記抽出手段は、前記複数種類の集合情報毎に、当該集合情報の見出し語の文字種別に適う検索語候補を抽出する複数抽出手段（例えば、図３のＣＰＵ１０；図１１のステップＳ１５）を有し、
前記検索語候補表示手段は、前記複数抽出手段によって抽出された検索語候補それぞれを、前記集合情報の種類に対応付けて表示する制御を行う対応付表示制御手段（例えば、図３のＣＰＵ１０；図１１のステップＳ１５）を有する、
こととしても良い。
【００１４】
この請求項２に記載の発明によれば、請求項１に記載の発明と同様の効果を奏するとともに、見出し語の文字種別が異なる複数種類の集合情報を記憶している場合に、この集合情報の種類毎に、その見出し語の文字種別に適う検索語候補を注目位置に基づいて抽出し、集合情報の種類に対応付けて表示制御することができる。従って、集合情報の種類毎に、適切な検索語候補が抽出され、この検索語候補についての再検索が可能となる。
【００１５】
また、請求項３に記載の発明のように、請求項２に記載の情報表示制御装置において、
集合情報を指定するための前記各集合情報に対応した集合情報指定キー（例えば、図１の辞書キー６）を更に備え、
前記検索語候補表示手段は、前記複数抽出手段により抽出された検索語候補を、前記集合情報指定キーの配置位置関係に則した配列で表示する制御を行う表示位置制御手段（例えば、図３のＣＰＵ１０；図１１のステップＳ１５）を有し、
前記第２表示制御手段は、前記集合情報指定キーの操作によって指定された集合情報から、当該指定された集合情報についての検索語候補に適合する見出し語に対応する説明情報を読み出し、読み出した説明情報及び当該適合する見出し語を表示制御する指定情報表示制御手段（例えば、図３のＣＰＵ１０；図１１のステップＳ２０）を有する、
こととしても良い。
【００１６】
この請求項３に記載の発明によれば、請求項２に記載の発明と同様の効果を奏するとともに、集合情報指定キーの操作によって指定された集合情報から、これについての検索語候補に適合する見出し語に対応する説明情報及びこの見出し語を表示制御することができる。更に、抽出した検索語候補を、各集合情報に対応した集合情報指定キーの配置位置関係に則した配列で表示制御できる。このため、ユーザは、再検索を行いたい集合情報を指定するための集合情報指定キーを容易に見付け出して操作することが可能となる。
【００１７】
また、請求項４に記載の発明のように、請求項１〜３の何れか一項に記載の情報表示制御装置において、
前記抽出手段は、前記位置指定手段により指定された注目位置に位置する文字の文字種別がアルファベットである場合に、当該アルファベットの文字を仮名文字に変換することにより、変換後の文字を検索語候補として抽出する変換抽出手段（例えば、図３のＣＰＵ１０；図１１のステップＳ１５）を有することとしても良い。
【００１８】
この請求項４に記載の発明によれば、請求項１〜３の何れか一項に記載の発明と同様の効果を奏するとともに、指定された注目位置に位置する文字の文字種別がアルファベットである場合に、このアルファベットの文字を仮名文字（ひらがな及びカタカナを含む。）に変換することにより、変換後の文字を検索語候補として抽出することができる。このため、例えば英和辞書等の見出し語の文字種別がアルファベットである辞書のみならず、アルファベットの文字を仮名文字に変換して、例えば国語辞書等見出し語の文字種別が“ひらがな”や“カタカナ”である辞書においても、再検索が可能となる。
【００１９】
請求項５に記載の発明は、
所定の通信回線を介して利用者端末と接続されるサーバにおいて、
見出し語と該見出し語の説明情報とが対応付けられた情報を集合した集合情報（例えば、実施の形態における辞書ＤＢ）を記憶した情報記憶手段（例えば、図１６の記憶部２０６０）と、
この情報記憶手段に記憶された集合情報から選択された見出し語を、前記利用者端末から受信する見出し語受信手段（例えば、図１６の通信部２０７０）と、
この見出し語受信手段により受信された見出し語に対応する説明情報を前記情報記憶手段に記憶された集合情報から読み出し、読み出した説明情報及び前記受信された見出し語を、前記利用者端末に送信する第１情報送信手段（例えば、図１６のＣＰＵ２０１０及び通信部２０７０）と、
この第１情報送信手段により送信した情報の中から指定された注目位置を、前記利用者端末から受信する注目位置受信手段（例えば、図１６の通信部２０７０）と、
前記集合情報の見出し語の文字種別に適う検索語候補を、前記注目位置受信手段により受信された注目位置に基づき、前記第１情報送信手段により送信した情報の中から抽出する抽出手段（例えば、図１６のＣＰＵ２０１０）と、
この抽出手段により抽出された検索語候補を、前記利用者端末に送信する検索語候補送信手段（例えば、図１６の通信部２０７０）と、
前記抽出された検索語候補に適合する見出し語に対応する説明情報を前記集合情報から読み出し、読み出した説明情報及び前記適合する見出し語を、前記利用者端末に送信する第２情報送信手段（例えば、図１６のＣＰＵ２０１０）と、
を備えることを特徴としている。
【００２０】
また、請求項７に記載の発明は、
所定の通信回線を介して利用者端末と接続されたコンピュータに、
見出し語と該見出し語の説明情報とが対応付けられた情報を集合した集合情報を記憶する情報記憶機能と、
この情報記憶機能によって記憶された集合情報から選択された見出し語を、前記利用者端末から受信する見出し語受信機能と、
この見出し語受信機能により受信された見出し語に対応する説明情報を前記情報記憶機能によって記憶された集合情報から読み出し、読み出した説明情報及び前記受信された見出し語を、前記利用者端末に送信する第１情報送信機能と、
この第１情報送信機能により送信した情報の中から指定された注目位置を、前記利用者端末から受信する注目位置受信機能と、
前記集合情報の見出し語の文字種別に適う検索語候補を、前記注目位置受信機能により受信された注目位置に基づき、前記第１情報送信機能により送信した情報の中から抽出する抽出機能と、
この抽出機能により抽出された検索語候補を、前記利用者端末に送信する検索語候補送信機能と、
前記抽出された検索語候補に適合する見出し語に対応する説明情報を前記集合情報から読み出し、読み出した説明情報及び前記適合する見出し語を、前記利用者端末に送信する第２情報送信機能と、
を実現させるためのプログラムである。
【００２１】
この請求項５又は７に記載の発明によれば、集合情報の中から選択された見出し語及びこの見出し語に対応する説明情報を利用者端末へ送信するとともに、この送信した情報の中から指定された注目位置に基づいて、集合情報の見出し語の文字種別に適う検索語候補を抽出することができる。そして、抽出した検索語候補を利用者端末へ送信するとともに、この検索語候補に適合する見出し語に対応する説明情報及びこの見出し語を利用者端末に送信することができる。即ち、注目位置に基づいて、集合情報の見出し語の文字種別に適う語句が検索語候補として抽出されるので、例えば指定した注目位置とユーザが検索したい語句の位置とが必ずしも一致しなくとも、当該語句を検索語候補として抽出し、この語句についての再検索が可能となる。
【００２２】
【発明の実施の形態】
以下、図面を参照して、本発明の実施の形態を詳細に説明する。尚、以下においては、本発明に係る情報表示制御装置を折り畳み式の携帯型電子辞書に適用した場合について説明するが、本発明の適用がこれに限定されるものではない。
【００２３】
本実施の形態において、携帯型電子辞書には、国語辞書や百科事典、英和辞書等の各種辞書の辞書データベース（以下、適宜「辞書ＤＢ」と称する。）が内蔵されている。辞書ＤＢとは、見出し語と、当該見出し語を説明・解説するためのテキスト（文字）データやテーブル（表）データ、静止画像データ、動画データ、音声データ等の説明情報と、が対応付けられた情報を集合した集合情報を、コンピュータを用いて検索処理可能なように体系的に構成したものである。ユーザは、辞書の種類を指定して見出し語を選択することにより、当該見出し語の説明情報を表示させることができる。
【００２４】
また、ユーザは、ジャンプ機能を利用して、見出し語又は該見出し語の説明情報に含まれる文字に適合する説明情報を、更に表示させることができる。ここで、ジャンプ機能とは、見出し語に対する説明情報を表示させた後、その説明情報中の一部の文字列を指定し、更に辞書の種類を指定すると、この指定した辞書において、指定した文字列を検索語とした検索が、再度実行される機能のことである。
【００２５】
［外観］
図１は、本発明を適用した携帯型電子辞書１の外観斜視図の一例を示す図である。同図によれば、携帯型電子辞書１は、見出し語や説明情報等を表示するためのディスプレイ３、検索語や検索実行指示を入力するための各種キー群５を備えて構成される。
【００２６】
各種キー群５を構成する各キーには、それぞれ固有の機能が割り当てられており、ユーザは、これらのキーを押下して携帯型電子辞書１を操作する。具体的には、同図（ｂ）に示すように、各種キー群５には、文字を入力するための文字キー５ａ、後述するカーソルを移動させるため等のカーソルキー５ｂ、各種決定指示のための決定キー５ｃ、ジャンプ機能を起動するためのジャンプキー５ｄ、携帯型電子辞書１の電源ＯＮ／ＯＦＦのための電源キー５ｅ、辞書の種類を指定するための辞書キー６、等が含まれる。
【００２７】
また、辞書キー６には、それぞれに異なる種類の辞書が割り当てられた５つの辞書キー６ａ〜６ｅを有して構成されている。ユーザは、各辞書キー６ａ〜６ｅを操作することで、図中、当該辞書キー６ａ〜６ｅに示されている辞書を指定することができる。具体的には、辞書キー６ａを操作することで国語辞書を、辞書キー６ｂを操作することで百科事典を、辞書キー６ｃを操作することで第１英和辞書を、辞書キー６ｄを操作することで第２英和辞書を、辞書キー６ｅを操作することで漢和辞書を、それぞれ指定することができる。
【００２８】
また、本実施の形態では、見出し語に対応する説明情報を表示させた後、ジャンプキー５ｄを操作してジャンプ機能を起動させると、ディスプレイ３には、例えば図２に示す表示画面が表示される。
【００２９】
図２は、ジャンプ機能が起動された際の表示画面の一例を示す図である。同図によれば、表示画面には、ユーザによって選択された見出し語１１０、見出し語１１０に対応する説明情報１３０、が表示される。また、表示文字上にカーソル１５０が表示されるとともに、画面下部に検索語候補一覧１７０が表示される。
【００３０】
カーソル１５０は、カーソルキー５ｂの操作によってその表示位置が移動される。そして、その表示位置の文字が日本語（即ち、文字種別が“ひらがな”、“カタカナ”又は“漢字”）であれば当該文字１文字を指定し、英語（即ち、文字種別が“アルファベット”）であれば当該表示位置を先頭とする１つの英単語を指定する。
【００３１】
検索語候補一覧１７０は、３行の表形式で表示される。そして、この表形式の１行目には、辞書キー６の操作によって以下の文字列を検索可能な旨をユーザに知らせる旨のコメントが表示される。
【００３２】
また、２行目には、辞書キー６の操作によってジャンプ可能な辞書（以下、適宜「ジャンプ先候補辞書」と称する。）の種類が、辞書キー６ａ〜６ｅの配置位置に則した配列で、表示される。具体的には、図中左より、「国語辞書」、「百科事典」、「第１英和辞書」、「第２英和辞書」、そして「漢和辞書」の順で表示される。
【００３３】
また、３行目には、ジャンプ先候補辞書にジャンプした際に検索語となる語句（以下、適宜「検索語候補」と称する。）が、２行目における辞書の種類の配列に対応して表示される。
【００３４】
そして、この表示画面において辞書キー６を操作して辞書の種類を指定すると、指定した辞書にジャンプして、この指定した辞書に対応する検索語候補を検索語とした検索が実行される。例えば、図２に示した状態において辞書キー６ａを操作して国語辞書を指定すると、国語辞書にジャンプし、これに対応する検索語候補「中国語」を検索語とした検索が実行される。また、辞書キー６ｂを操作して百科事典を指定すると、百科事典にジャンプし、これに対応する検索語候補「中国語」を検索語とした検索が実行される。また、辞書キー６ｃを操作して第１英和辞書を指定すると、第１英和辞書にジャンプし、これに対応する検索語候補「ｔｅａ」を検索語とした検索が実行される。また、辞書キー６ｄを操作して第２英和辞書を指定すると、第２英和辞書にジャンプし、これに対応する検索語候補「ｔｅａ」を検索語とした検索が実行される。そして、辞書キー６ｅを操作して漢和辞書を指定すると、漢和辞書にジャンプし、これに対応する検索語候補「中」を検索語とした検索が実行される。
【００３５】
この検索語候補一覧１７０は、カーソル１５０の移動に応じて、適宜更新して表示される。尚、同図においては、全て（５種類）の辞書について示されているが、必ずしも全て表示されるとは限らず、ジャンプ不可能な辞書については表示されない。
【００３６】
［内部構成］
図３は、携帯型電子辞書１の内部構成の一例を示すブロック図である。同図によれば、携帯型電子辞書１は、ＣＰＵ（Ｃｅｎｔｒａｌ  Ｐｒｏｃｅｓｓｉｎｇ  Ｕｎｉｔ）１０、入力部２０、表示部３０、ＲＯＭ（Ｒｅａｄ  Ｏｎｌｙ  Ｍｅｍｏｒｙ）４０、ＲＡＭ（Ｒａｎｄｏｍ  Ａｃｃｅｓｓ  Ｍｅｍｏｒｙ）５０、を備えて構成される。
【００３７】
ＣＰＵ１０は、入力される指示に応じて所定のプログラムに基づいた所定の処理を実行し、各機能部への指示やデータの転送等を行い、携帯型電子辞書１を統括的に制御する。具体的には、ＣＰＵ１０は、入力部２０から入力されるキーの押下信号等に応じてＲＯＭ４０に格納されたプログラムを読み出し、当該プログラムに従って処理を実行する。そして、処理結果をＲＡＭ５０に保存するとともに、当該処理結果を表示するための表示信号を表示部３０に出力して、対応する表示情報を表示させる。
【００３８】
また、ＣＰＵ１０は、本実施の形態において、ＲＯＭ４０の辞書検索プログラム４８に従った辞書検索処理（図１１参照）、を実行する。
【００３９】
入力部２０は、仮名やアルファベット等の文字入力や機能選択等に必要なキーを備えた入力装置で構成され、押下されたキーの押下信号等をＣＰＵ１０に出力する。この入力部２０におけるキー操作により、入力文字の入力、検索実行指示、ジャンプ機能の起動指示、辞書の種類の指定等の入力手段が実現される。尚、この入力部２０は、図１の各種キー群５に相当する。
【００４０】
表示部３０は、ＣＰＵ１０から入力される表示信号に基づいて各種画面を表示する表示装置で構成され、ＬＣＤ（Ｌｉｑｕｉｄ  Ｃｒｙｓｔａｌ  Ｄｉｓｐｌａｙ）やＥＬＤ（Ｅｌｅｃｔｒｏｎｉｃ  Ｌｕｍｉｎｅｓｃｅｎｔ  Ｄｉｓｐｌａｙ）等で構成される。尚、この表示部３０は、図１のディスプレイ３に相当する。
【００４１】
ＲＯＭ４０には、各種初期設定やハードウェアの検査、必要なプログラムのロード等を行うための初期プログラムが格納される。ＣＰＵ１０は、携帯型電子辞書１の電源投入時においてこの初期プログラムを実行することにより、携帯型電子辞書１の動作環境を設定する。
【００４２】
また、ＲＯＭ４０には、携帯型電子辞書１の動作に係る各種処理プログラムや携帯型電子辞書１の備える種々の機能を実現するためのプログラムやデータ等が格納される。特に、本実施の形態においては、国語辞書の辞書ＤＢである国語辞書ＤＢ４１、百科事典の辞書ＤＢである百科事典ＤＢ４２、第１英和辞書の辞書ＤＢである第１英和辞書ＤＢ４３、第２英和辞書の辞書ＤＢである第２英和辞書ＤＢ４４、漢和辞書の辞書ＤＢである漢和辞書ＤＢ４５、英カナ変換テーブル４６、検索語候補抽出基準テーブル４７、辞書検索プログラム４８、が格納されている。
【００４３】
ここで、各辞書ＤＢのデータ構成を、本実施の形態に関するデータ部分を例にとって説明する。
図４は、国語辞書ＤＢ４１のデータ構成例を示す図である。同図によれば、国語辞書ＤＢ４１には、文字種別が“ひらがな“又は“カタカナ”である見出し語（４１ａ）と、見出し語（４１ａ）の意味を日本語で説明・解説した説明情報（４１ｂ）と、が対応付けて格納されている。また、見出し語（４１ａ）には、その仮名表記に相当する漢字表記又は外国語のつづりであるサブ見出し語（図中、括弧［］内に示された文字列である。）が含まれる。
【００４４】
また、図５は、百科事典ＤＢ４２のデータ構成例を示す図である。同図によれば、百科事典ＤＢ４２には、文字種別が“ひらがな”又は“カタカナ”である見出し語（４２ａ）と、見出し語（４２ａ）の意味を日本語で解説・説明した説明情報（４２ｂ）と、が対応付けて格納されている。また、見出し語（４２ａ）には、その仮名表記に相当する漢字表記又は外国語のつづりであるサブ見出し語（図中、括弧［］内に表記されている。）が含まれる。
【００４５】
また、図６は、第１英和辞書ＤＢ４３のデータ構成例を示す図である。同図によれば、第１英和辞書ＤＢ４３には、英単語である見出し語（４３ａ）と、見出し語（４３ａ）の日本語訳である説明情報（４３ｂ）と、が対応付けて格納されている。
【００４６】
また、図７は、第２英和辞書ＤＢ４４のデータ構成例を示す図である。同図によれば、第２英和辞書ＤＢ４４には、英単語である見出し語（４４ａ）と、見出し語（４４ａ）の日本語訳である説明情報（４４ｂ）と、が対応付けて格納されている。
【００４７】
英カナ変換テーブル４６は、カーソル１５０によって指定された文字（以下、適宜「カーソル指定文字」と称する。）の文字種別が“アルファベット”であった場合に、当該カーソル指定文字をカタカナによる仮名読みに変換する際の対応関係を示すテーブルであり、図８にそのデータ構成の一例を示す。
【００４８】
図８は、英カナ変換テーブル４６のデータ構成例を示す図である。同図によれば、英カナ変換テーブル４６には、１文字の大文字のアルファベット（４６ａ）と、アルファベット（４６ａ）のカタカナ読み（４６ｂ）とが対応付けて格納されている。同図に示す例によれば、アルファベット“Ａ”はカタカナ読み“エー”に変換され、アルファベット“Ｂ”はカタカナ読み“ビー”に変換され、また、アルファベット“Ｃ”はカタカナ読み“シー”に変換される。
【００４９】
検索語候補抽出基準テーブル４７は、各辞書についての検索語候補を抽出する際の判断基準を示すテーブルであり、図９にそのデータ構成の一例を示す。
図９は、検索語候補抽出基準テーブル４７のデータ構成例を示す図である。同図によれば、検索語候補抽出基準テーブル４７には、カーソル指定文字の文字種別（４７ａ）及び辞書の種類（４７ｂ）毎に、検索語候補を抽出する際の判断基準が格納されている。この判断基準は、各辞書の見出し語の文字種別に適う検索語候補の抽出を実現するよう、設定されている。
【００５０】
同図に示す例によれば、カーソル指定文字の文字種別が“ひらがな”又は“カタカナ”である場合には、「当該カーソル指定文字を含む日本語単語」が、国語辞書及び百科事典についての検索語候補として抽出され、「当該カーソル指定文字の直近の漢字１文字」が、漢和辞書についての検索語候補として抽出され、「当該カーソル指定文字の直近の英単語」が、第１英和辞書及び第２英和辞書についての検索語候補として抽出される。
【００５１】
但し、国語辞書及び百科事典についての検索語を抽出する際に、▲１▼カーソル指定文字が見出し語に含まれ、且つ、▲２▼当該見出し語のサブ見出し語が漢字表記である、という例外条件を満たす場合には、このサブ見出し語を検索語候補として抽出する。
【００５２】
また、カーソル指定文字の文字種別が“漢字”である場合には、「当該カーソル指定文字を含む日本語単語」が、国語辞書及び百科事典についての検索語候補として抽出され、「当該カーソル指定文字そのもの」が、漢和辞書についての検索語候補として抽出され、「当該カーソル指定文字の直近の英単語」が、第１英和辞書及び第２英和辞書についての検索語候補として抽出される。
【００５３】
また、カーソル指定文字の文字種別が“アルファベット小文字”である場合には、「当該カーソル指定文字の直近の日本語単語」が、国語辞書及び百科事典についての検索語候補として抽出され、「当該カーソル指定文字の直近の漢字１文字」が、漢和辞書についての検索語候補として抽出され、「当該カーソル指定文字そのもの」が、第１英和辞書及び第２英和辞書についての検索語候補として抽出される。
【００５４】
また、カーソル指定文字の文字種別が“アルファベット大文字”である場合には、「当該カーソル指定文字のカタカナ読み」が、国語辞書及び百科事典についての検索語候補として抽出され、「当該カーソル指定文字の直近の漢字１文字」が、漢和辞書についての検索語候補として抽出され、「当該カーソル指定文字そのもの」が、第１英和辞書及び第２英和辞書についての検索語候補として抽出される。
【００５５】
ここで、国語辞書及び百科事典についての検索語候補を抽出する際には、上述した英カナ変換テーブル４６に従って、カーソル指定文字を構成するアルファベット１文字毎にカナ読みに変換することで、「当該カーソル指定文字のカタカナ読み」への変換を実現する。
【００５６】
ＣＰＵ１０は、カーソル１５０が移動されてカーソル指定文字が変更される毎に、この検索語候補抽出基準テーブル４７を参照して、辞書毎に、カーソル指定文字の文字種別に対応する判断基準に従って、当該辞書の見出し語の文字種別に適う検索語候補を抽出する。そして、抽出した検索語候補を、辞書の種類に対応付けて後述する検索語候補テーブル７０に格納する。
【００５７】
ＲＡＭ５０は、ＣＰＵ１０が実行する各種処理プログラムや、これらのプログラムの実行に係るデータ等を一時的に保持する格納領域（メモリ）を備える。特に、本実施の形態においては、ユーザによって指定された辞書の種類を保持する指定辞書格納領域５１、カーソル指定文字を保持するカーソル指定文字格納領域５２、検索語候補テーブル７０を保持する検索語候補格納領域５３、ジャンプした先の辞書（以下、適宜「ジャンプ先辞書」と称する。）の種類を保持するジャンプ先辞書格納領域６４、を備えている。
【００５８】
検索語候補テーブル７０は、抽出された検索語候補が格納されるテーブルであり、図１０にそのデータ格納例を示す。
図１０は、検索語候補テーブル７０のデータ格納例を示す図である。同図によれば、検索語候補テーブル７０には、辞書の種類（７０ａ）毎に、抽出された検索語候補（７０ｂ）が、対応付けて格納される。この検索語候補テーブル７０は、カーソル１５０の移動によるカーソル指定文字の変更に伴って、適宜更新される。尚、図中の記号「＊」は、該当データ無しを表している。
【００５９】
［動作］
次に、動作を説明する。
図１１は、本実施の形態における辞書検索処理に係る携帯型電子辞書１の動作を説明するためのフローチャートである。この辞書検索処理は、携帯型電子辞書１の電源がＯＮされて、ＣＰＵ１０がＲＯＭ４０の辞書検索プログラム４８を読み出して実行することで実現される処理である。
【００６０】
図１１によれば、ユーザによって辞書の種類が指定されると（ステップＳ１１）、ＣＰＵ１０は、指定辞書についての検索語用の入力文字を入力するための文字入力画面を表示部３０に表示させる。この文字入力画面において、ユーザは、文字キー５ａ等を操作して入力文字を入力する。
【００６１】
入力文字が入力されると、ＣＰＵ１０は、指定辞書の辞書ＤＢから、入力された入力文字に適合する見出し語の候補を検索して一覧表示させる。そして、これらの内からユーザによって選択された見出し語（以下、適宜「選択見出し語」と称する。）に対応する説明情報を指定辞書の辞書ＤＢから読み出し、読み出した説明情報及び選択見出し語を含む情報を表示した検索結果画面を、表示部３０に表示させる（ステップＳ１２）。
【００６２】
次いで、検索結果画面においてジャンプキー５ｄが操作されると（ステップＳ１３：ＹＥＳ）、ＣＰＵ１０は、画面上の選択見出し語の先頭文字の位置にカーソル１５０を表示させる（ステップＳ１４）。
【００６３】
続いて、ＣＰＵ１０は、カーソル１５０が指す文字（即ち、カーソル指定文字）を判断し、検索語候補抽出基準テーブル４７を参照して、辞書それぞれについて、当該辞書の文字種別に適う検索語候補を抽出して、検索語候補テーブル７０を更新する。尚ここで、判断基準に従う検索語候補が無い場合には、検索語候補は無し（＊）とする（ステップＳ１５）。
【００６４】
全ての辞書について検索語候補を抽出すると、ＣＰＵ１０は、抽出した検索語候補に基づいた検索語候補一覧１７０を、検索結果画面に表示させる（ステップＳ１６）。尚このとき、検索語候補テーブル７０において対応する検索語候補が格納されていない辞書については、検索語候補一覧１７０において表示しない。
【００６５】
そして、検索語候補一覧１７０を表示させた検索結果画面においてカーソルキー５ｂが操作されると（ステップＳ１７：ＹＥＳ）、ＣＰＵ１０は、このカーソルキー５ｂの操作に応じてカーソル１５０の表示位置を変更した後（ステップＳ１８）、ステップＳ１５に移行し、再度、同様の処理を実行する。
【００６６】
また、検索語候補一覧１７０を表示させた検索結果画面において辞書キー６が操作された場合には（ステップＳ１７：ＮＯ〜Ｓ１９：ＹＥＳ）、ＣＰＵ１０は、この辞書キー６の操作によって指定された辞書にジャンプして、このジャンプ先辞書についての検索語候補を検索語とした検索を実行する。即ち、当該ジャンプ先辞書の辞書ＤＢから、検索語候補に適合する見出し語の候補を検索して一覧表示させ、これらの見出し語の候補の内からユーザによって選択された見出し語に対応する説明情報を、ジャンプ先辞書の辞書ＤＢから読み出して、選択された見出し語とともに表示させる（ステップＳ２０）。
【００６７】
その後、本処理の終了が指示されなければ（ステップＳ２１：ＮＯ）、ＣＰＵ１０は、ステップＳ１３に移行し、同様の処理を実行する。また、本処理の終了が指示されると（ステップＳ２１：ＹＥＳ、Ｓ２２：ＹＥＳ）、本辞書検索処理を終了する。
【００６８】
このように構成される携帯型電子辞書１における５つの操作例について、以下、順に説明する
【００６９】
（第１操作例）
先ず、図１２を参照して、第１操作例を説明する。
図１２は、第１操作例における表示画面の遷移例を示す図である。
【００７０】
第１操作例では、先ず、国語辞書を指定する（ステップＳ１１）。そして、入力文字を入力すると、この入力文字に適合する見出し語の候補が一覧表示されるので、これらの内から見出し語「ぜい」を選択すると、この選択した見出し語「ぜい」に対応する説明情報が国語辞書ＤＢ４１から読み出されて、見出し語「ぜい」に対する検索結果画面が、図１２（ａ）に示すように表示される（ステップＳ１２）。
【００７１】
図１２（ａ）によれば、検索結果画面には、選択した見出し語１１０ａと、見出し語１１０ａに対応する説明情報１３０ａと、が表示されている。
【００７２】
そして、この表示画面においてジャンプキー５ｄを操作すると（ステップＳ１３：ＹＥＳ）、カーソル１５０及び検索語候補一覧１７０が表示された検索結果画面が、図１２（ｂ）に示すように表示される（ステップＳ１４〜Ｓ１６）。
【００７３】
図１２（ｂ）によれば、検索結果画面には、見出し語１１０ａ中の文字「ぜ」の位置にカーソル１５０ａが表示されているとともに、画面下部に検索語候補一覧１７０ａが表示されている。検索語候補一覧１７０ａには、ジャンプ先候補辞書として、「国語辞書」、「百科事典」及び「漢和辞書」の３つの辞書の種類が表示されているとともに、これらの辞書それぞれについての検索語候補として、「税」、「税」及び「税」が表示されている。
【００７４】
このとき、カーソル１５０ａによって指定された文字（カーソル指定文字）は、「ぜ」であり、その文字種別は“ひらがな”である。従って、図９に示した検索語候補抽出テーブル４７に基づいて、国語辞書及び百科事典についての検索語候補が抽出されるが、この場合、上述した例外条件を満たす、即ち、▲１▼カーソル指定文字「ぜ」が見出し語１１０ａに含まれ、且つ、▲２▼当該見出し語１１０ａのサブ見出し語「税」が漢字表記であるため、見出し語１１０ａのサブ見出し語「税」が抽出される。また、漢和辞書についての検索語として、カーソル指定文字「ぜ」の直近（具体的には、後方）の１文字の漢字「税」が抽出される。また、第１英和辞書及び第２英和辞書についての検索語候補は、見出し語１１０ａ及び説明情報１３０ａ中の何れにも英単語が含まれていないため、検索語候補が抽出されない。故に、検索語候補一覧１７０ａには、第１英和辞書及び第２英和辞書を除く３つの辞書がジャンプ先候補辞書として、抽出された検索語候補とともに表示される。
【００７５】
そして、この表示画面においてカーソルキー５ｂを操作すると（ステップＳ１７：ＹＥＳ）、このカーソルキー５ｂの操作に応じてカーソル１５０ａが移動された検索結果画面が、図１２（ｃ）に示すように表示される（ステップＳ１８〜Ｓ１６）。
【００７６】
図１２（ｃ）によれば、カーソル１５０ａが、説明情報１３０ａ中の文字「所」の位置まで移動されているとともに、画面下部には、カーソル１５０ａの移動に応じて更新された検索語候補一覧１７０ｂが表示されている。検索語候補一覧１７０ｂには、ジャンプ先候補辞書として、「国語辞書」、「百科事典」及び「漢和辞書」の３つの辞書の種類が表示されているとともに、これらの辞書それぞれについての検索語候補として、「所得税」、「所得税」及び「所」が表示されている。
【００７７】
このとき、カーソル指定文字は「所」であり、その文字種別は“漢字”である。従って、図９に示した検索語候補抽出基準テーブル４７に基づき、国語辞書及び百科事典についての検索語候補として、カーソル指定文字「所」を含む日本語単語「所得税」が抽出され、漢和辞書についての検索語候補として、カーソル指定文字そのものである「所」が抽出される。また、第１英和辞書及び第２英和辞書についての検索語候補は、上述した図１２（ｂ）の場合と同様に抽出されない。故に、検索語候補一覧１７０ｂには、第１英和辞書及び第２英和辞書を除く３つの辞書がジャンプ先候補辞書として、抽出された検索語候補とともに表示される。
【００７８】
（第２操作例）
次に、図１３を参照して、第２操作例を説明する。
図１３は、第２操作例における表示画面の遷移例を示す図である。
【００７９】
第２操作例では、先ず、第１英和辞書を指定する（ステップＳ１１）。そして、入力文字を入力すると、この入力文字に適合する見出し語の候補が一覧表示されるので、これらの内から見出し語「ｔｅａ」を選択すると、この選択した見出し語「ｔｅａ」に対応する説明情報が第１英和辞書ＤＢ４３から読み出されて、見出し語「ｔｅａ」に対する検索結果画面が、図１３（ａ）に示すように表示される（ステップＳ１２）。
【００８０】
図１３（ａ）によれば、検索結果画面には、選択した見出し語１１０ｂと、見出し語１１０ｂに対応する説明情報１３０ｂと、が表示されている。
【００８１】
そして、この表示画面においてジャンプキー５ｄを操作すると（ステップＳ１３：ＹＥＳ）、カーソル１５０及び検索語候補一覧１７０が表示された検索結果画面が、図１３（ｂ）に示すように表示される（ステップＳ１４〜Ｓ１６）。
【００８２】
図１３（ｂ）によれば、検索結果画面には、見出し語１１０ｂ中の文字「ｔｅａ」の位置にカーソル１５０ｂが表示されているとともに、画面下部に検索語候補一覧１７０ｃが表示されている。また、検索語候補一覧１７０ｃには、ジャンプ先候補辞書として、「国語辞書」、「百科事典」、「第１英和辞書」、「第２英和辞書」及び「漢和辞書」の５つの辞書の種類が表示されているとともに、これらの辞書それぞれについての検索語候補として、「中国語」、「中国語」、「ｔｅａ」、「ｔｅａ」及び「中」が表示されている。
【００８３】
このとき、カーソル１１ｂが指す文字（カーソル指定文字）は「ｔｅａ」であり、その文字種別は“アルファベット小文字”である。従って、図９に示した検索語候補抽出基準テーブル４７に基づき、国語辞書及び百科事典についての検索語候補として、カーソル指定文字「ｔｅａ」の直近（具体的には、後方）の日本語単語「中国語」が抽出され、漢和辞書についての検索語候補として、カーソル指定文字「ｔｅａ」の直近（具体的には、後方）の１文字の漢字「中」が抽出され、第１英和辞書及び第２英和辞書についての検索語候補として、カーソル指定文字「ｔｅａ」そのものが抽出される。故に、検索語候補候補一覧１７０ｂは、図１３（ｂ）に示すように表示される。
【００８４】
そして、この表示画面において辞書キー６を操作して第２英和辞書を指定すると（ステップＳ１７：ＮＯ〜Ｓ１９：ＹＥＳ）、この指定した第２英和辞書にジャンプして、第２英和辞書についての検索語候補「ｔｅａ」を検索語とする検索が実行され、この検索語「ｔｅａ」に対する検索結果画面が表示される（ステップＳ２０）。
【００８５】
次いで、ジャンプキー５ｄを操作し（ステップＳ２１：ＮＯ〜Ｓ１３：ＹＥＳ）、更にカーソルキー５ｂを操作すると（ステップＳ１４〜Ｓ１７：ＹＥＳ）、このカーソルキー５ｂの操作に応じて移動されたカーソル１５０及び検索語候補一覧１７０が表示された検索結果画面が、図１３（ｃ）に示すように表示される（ステップＳ１８〜Ｓ１６）。
【００８６】
図１３（ｃ）によれば、検索結果画面には、見出し語１１０ｃと、第２英和辞書ＤＢ４４から読み出された見出し語１１０ｃに対応する説明情報１３０ｃと、が表示されている。また、説明情報１３０ｃ中の文字「紅」の位置にカーソル１５０ｃが表示されているとともに、画面下部に検索語候補一覧１７０ｄが表示されている。検索語候補一覧１７０ｄには、ジャンプ先候補辞書として「国語辞書」、「百科事典」、「第１英和辞書」、「第２英和辞書」及び「漢和辞書」の５つの辞書の種類が表示されているとともに、これらの辞書それぞれについての検索語候補として、「紅茶」、「紅茶」、「ｐｌａｎｔ」、「ｐｌａｎｔ」及び「紅」が表示されている。
【００８７】
このとき、カーソル１５０ｃが指す文字（カーソル指定文字）は「紅」であり、その文字種別は“漢字”である。従って、図９に示した検索語候補抽出基準テーブル４７に基づき、国語辞書及び百科辞典についての検索語候補として、カーソル指定文字「紅」を含む日本語単語「紅茶」が抽出され、漢和辞書についての検索語候補として、カーソル指定文字「紅」そのものが抽出され、第１英和辞書及び第２英和辞書についての検索語候補として、カーソル指定文字「紅」の直近（具体的には、前方）の英単語「ｐｌａｎｔ」が抽出される。故に、検索語候補一覧１７０ｄは、図１３（ｃ）に示すように表示される。
【００８８】
（第３操作例）
次に、図１４を参照して、第３操作例を説明する。
図１４は、第３操作例における表示画面の遷移例を示す図である。
【００８９】
第３操作例では、先ず、第１英和辞書を指定する（ステップＳ１１）。そして、入力文字を入力すると、この入力文字に適合する見出し語の候補が一覧表示されるので、これらの内から見出し語「ＯＥＣＤ」を選択する。次いで、ジャンプキー５ｄを操作すると（ステップＳ１３：ＹＥＳ）、カーソル１５０及び検索語候補一覧１７０が表示された、見出し語「ＯＥＣＤ」に対する検索結果画面が、図１４（ａ）に示すように表示される（ステップＳ１４〜Ｓ１６）。
【００９０】
図１４（ａ）によれば、検索結果画面には、選択した見出し語１１０ｄと、第１英和辞書ＤＢ４３から読み出された見出し語１１０ｄに対応する説明情報１３０ｄと、が表示されている。また、見出し語１１０ｄ中の文字「ＯＥＣＤ」の位置にカーソル１５０ｄが表示されているとともに、画面下部に検索語候補一覧１７０ｅが表示されている。
【００９１】
検索語候補一覧１７０ｅには、ジャンプ先候補辞書として、「国語辞書」、「百科事典」、「第１英和辞書」、「第２英和辞書」及び「漢和辞書」の５つの辞書の種類が表示されているとともに、これらの辞書についての検索語候補として、「オーイーシーディー」、「オーイーシーディー」、「ＯＥＣＤ」、「ＯＥＣＤ」及び「経」が表示されている。
【００９２】
このとき、カーソル１５０ｄが指す文字（カーソル指定文字）は「ＯＥＣＤ」であり、その文字種別は“アルファベット大文字”である。従って、図９に示す検索語候補抽出基準テーブル４７に基づき、国語辞書及び百科辞典についての検索語候補として、図８に示した英カナ変換テーブル４６に基づいて、カーソル指定文字「ＯＥＣＤ」を構成する１文字毎にカタカナ読みに変換した「オーイーディーシー」が抽出される。また、漢和辞書についての検索語候補として、カーソル指定文字「ＯＥＣＤ」の直近（具体的には、後方）の１文字の漢字「経」が抽出され、第１英和辞書及び第２英和辞書についての検索語候補として、カーソル指定文字「ＯＥＣＤ」そのものが抽出される。故に、検索語候補一覧１７０ｅは、図１４（ａ）に示すように表示される。
【００９３】
そして、この表示画面において、辞書キー６を操作して国語辞書を指定すると（ステップＳ１７〜Ｓ１９：ＹＥＳ）、この指定した国語辞書にジャンプして、国語辞書についての検索語候補「オーイーシーディー」を検索語とした検索が実行され、この検索語「オーイーシーディー」に対する検索結果画面が、図１４（ｃ）に示すように表示される（ステップＳ２０）。
【００９４】
図１４（ｃ）によれば、見出し語１１０ｅと、国語辞書ＤＢ４１から読み出された見出し語１１０ｅに対応する説明情報１３０ｅと、が表示されている。
【００９５】
また、図１４（ｂ）に示す表示画面において、辞書キー６を操作して百科事典を指定すると（ステップＳ１７：ＮＯ〜１９：ＹＥＳ）、この指定した百科事典にジャンプし、百科事典に対応する検索語候補「オーイーシーディー」を検索語とした検索が実行されて、この検索語「オーイーシーディー」に対する検索結果画面が、図１４（ｄ）に示すように表示される（ステップＳ２０）。
【００９６】
図１４（ｄ）によれば、検索結果画面には、見出し語１１０ｆと、百科事典ＤＢ４２から読み出された見出し語１１０ｆに対応する説明情報１３０ｆと、が表示されている。
【００９７】
（第４操作例）
次に、図１５を参照して、第４操作例を説明する。
図１５は、第４操作例における表示画面の遷移例を示す図である。
【００９８】
第４操作例では、先ず、百科事典を指定し（ステップＳ１１）、入力文字を入力すると、この入力文字に適合する見出し語の候補の一覧が表示されるので、これらの内から見出し語「ウィルス」を選択する。次いで、ジャンプキー５ｄを操作し（ステップＳ１３：ＹＥＳ）、続いて、カーソルキー５ｂを操作すると（ステップＳ１７：ＹＥＳ）、このカーソルキー５ｂの移動に応じて移動されたカーソル１５０及び検索語候補一覧１７０が表示された検索結果画面が、図１５（ａ）に示すように表示される（ステップＳ１８〜Ｓ１６）。
【００９９】
図１５（ａ）によれば、検索結果画面には、選択した見出し語１１０ｇと、百科事典ＤＢ４２から読み出された見出し語１１０ｇに対応する説明情報１３０ｇと、が表示されている。また、説明情報１３０ｇ中の文字「ＤＮＡ」の位置にカーソル１５０ｅが表示されているとともに、画面下部に検索語候補一覧１７０ｆが表示されている。
【０１００】
検索語候補一覧１７０ｆには、ジャンプ先候補辞書として、「国語辞書」、「百科事典」、「第１英和辞書」、「第２英和辞書」及び「漢和辞書」の５つの辞書の種類が表示されているとともに、これらの辞書それぞれについての検索語候補として、「ディーエヌエー」、「ディーエヌエー」、「ＮＤＡ」、「ＤＮＡ」及び「類」が表示されている。
【０１０１】
このとき、カーソル１５０ｅが指す文字（カーソル指定文字）は「ＤＮＡ」であり、その文字種別は“アルファベット大文字“である。従って、図９に示した検索語候補抽出基準テーブル４７に基づき、国語辞書及び百科辞典についての検索語候補として、図８に示した英カナ変換テーブル４６に基づいて、カーソル指定文字「ＤＮＡ」を構成する１文字毎にカタカナ読みに変換した「ディーエヌエー」が抽出される。また、漢和辞書についての検索語候補として、カーソル指定文字「ＤＮＡ」の直近（具体的には、前方）の１文字の漢字「類」が抽出され、第１英和辞書及び第２英和辞書についての検索語候補として、カーソル指定文字「ＤＮＡ」そのものが抽出される。故に、検索語候補一覧１７０ｆは、図１５（ｂ）に示すように表示される。
【０１０２】
そして、この表示画面において、辞書キー６を操作して国語辞書を指定すると（ステップＳ１７：ＮＯ〜Ｓ１９：ＹＥＳ）、この指定した国語辞書にジャンプし、国語辞書についての検索語候補「ディーエヌエー」を検索語とする検索が実行されて、この検索語「ディーエヌエー」に対する検索結果画面が表示される（ステップＳ２０）。
【０１０３】
その後、ジャンプキー５ｄを操作し（ステップＳ２１：ＮＯ〜Ｓ１３：ＹＥＳ）、続いて、カーソルキー５ｂを操作すると（ステップＳ１７：ＹＥＳ）、このカーソルキー５ｂの操作に応じて移動されたカーソル１５０及び検索語候補一覧１７０が表示された検索結果画面が、図１５（ｂ）に示すように表示される（ステップＳ１８〜Ｓ１６）。
【０１０４】
図１５（ｂ）によれば、見出し語１１０ｈと、国語辞書ＤＢ４１から読み出された見出し語１１０ｈに対応する説明情報１３０ｈと、が表示されている。また、説明情報１３０ｈ中の文字「ウ」の位置にカーソル１５０ｆが表示されているとともに、画面下部に検索語候補一覧１７０ｇが表示されている。
【０１０５】
検索語候補一覧１７０ｇには、ジャンプ先候補辞書として、「国語辞書」、「百科事典」、「第１英和辞書」、「第２英和辞書」及び「漢和辞書」の５つの辞書の種類が表示されているとともに、これらの辞書それぞれについての検索語候補として、「ウイルス」、「ウィルス」、「ＤＮＡ」、「ＤＮＡ」及び「称」が表示されている。
【０１０６】
このとき、カーソル１５０ｆが指す文字（カーソル指定文字）は「ウ」であり、その文字種別は“カタカナ”である。従って、図９に示した検索語候補抽出基準テーブル４７に基づき、国語辞書及び百科辞典についての検索語候補として、カーソル指定文字「ウ」を含む日本語単語「ウィルス」が抽出され、漢和辞書についての検索語候補として、カーソル指定文字「ウ」の直近（具体的には、前方）の１文字の漢字「称」が抽出され、第１英和辞書及び第２英和辞書についての検索語候補として、カーソル指定文字の直近（具体的には、後方）の英単語「ＤＮＡ」が抽出される。故に、検索語候補一覧１７０ｇは、図１５（ｂ）に示すように表示される。尚、ここでは、複合語についてはハイフン（‐）で区切られた語句を１つの単語として抽出したが、複合語全体（即ち、「ＤＮＡウィルス」）を抽出することとしても良い。
【０１０７】
［作用・効果］
以上、本実施の形態によれば、辞書の種類を指定して検索結果画面が表示された後、ジャンプキー５ｄを操作すると、検索結果画面上に、カーソル１５０及び検索語候補一覧１７０が表示される。検索語候補一覧１７０には、国語辞書や百科辞書、英和辞書といった携帯型電子辞書１が備える５種類の辞書毎に、カーソル１５０が位置する文字（カーソル指定文字）に基づいた検索語候補が対応付けて表示される。そして、辞書キー６を操作して辞書の種類を指定すると、この指定した辞書のジャンプし、対応する検索語候補を検索語とした再検索が実行される。
【０１０８】
このように、カーソル１５０が位置する文字そのものに限らず、例えばこの文字を含む語句や近傍（直近）の語句等、辞書の見出し語の文字種別に適う語句が検索語候補として抽出されるので、ユーザは、所望の語句までカーソル１５０を移動させなくとも、所望の語句が検索語候補として表示された時点で対応する辞書を指定することで、当該語句についての再検索を行わせることができる。
【０１０９】
［変形例］
尚、本発明の適用は、上述した実施の形態に限定されることなく、本発明の趣旨を逸脱しない範囲で適宜変更可能である。
【０１１０】
（１）情報表示制御装置について
上述した実施の形態では、電子辞書を適用例として説明したが、本発明の情報表示制御装置は、このような製品に限定されるものではなく、携帯電話機、パソコン（ＰＣ：Ｐｅｒｓｏｎａｌ  Ｃｏｍｐｕｔｅｒ）、電子時計、ＰＤＡ（Ｐｅｒｓｏｎａｌ  Ｄｉｇｉｔａｌ  Ａｓｓｉｓｔａｎｔｓ）等の電子機器全般に適用可能である。
【０１１１】
（２）電子辞書システム
また、上述した実施の形態では、携帯型電子辞書１を単体で動作するいわゆるスタンドアロン型の装置として説明した。しかし、本発明が適用可能な装置はこれに限られるものではない。具体的には、通信装置を内蔵或いは接続可能に構成し、サーバと通信することによって本発明に係る装置を実現することも可能である。図面を参照して具体的に説明する。
【０１１２】
図１６は、通信装置を内蔵した電子辞書端末１０００と、サーバ２０００とが通信回線Ｎを介して通信可能に接続された電子辞書システムの概略構成を示す図である。サーバ２０００は、例えば汎用のワークステーションやサーバ用コンピュータ等によって構成されるものであり、電子辞書端末１０００は、携帯電話機や通信装置を内蔵したパソコン、通信装置を内蔵した携帯型電子辞書等により構成されるものである。通信回線Ｎは、有線／無線の電話網やインターネット網等である。
【０１１３】
図１６において、上述した実施の形態における携帯型電子辞書１の主要機能を有する機能部を太線で示した。携帯型電子辞書１のＣＰＵ１０が実行する辞書検索処理は、サーバ２０００のＣＰＵ２０１０が実行する。また、携帯型電子辞書１のＲＯＭ４０が記憶するデータ（各種辞書ＤＢやテーブル等）やプログラム（辞書検索プログラム５４）等は、サーバ２０００の、ハードディスク等から構成される記憶部２０６０が記憶する。また、辞書検索処理の実行に伴うデータは、サーバ２０００のＲＡＭ２０５０が記憶する。
【０１１４】
一方、携帯型電子辞書１の入力部２０及び表示部３０は、それぞれ、電子辞書端末１０００の入力部１０２０及び表示部１０３０に相当する。
【０１１５】
即ち、サーバ２０００がホスト（或いはサーバ）、電子辞書端末１０００が端末（或いはクライアント）に相当するホスト・端末システム（或いはサーバ・クライアントシステム）を形成する。そして、電子辞書端末１０００の入力部１０２０から入力された入力文字等が通信部１０６０を介してサーバ２０００に送信され、サーバ２０００のＣＰＵ２０１０が、記憶部２０６０に記憶された各種データ及び各種プログラムに従って辞書検索処理を実行し、処理結果を通信部２０７０を介して電子辞書端末１０００に送信して表示部１０３０に表示させる。このように、サーバ２０００及び電子辞書端末１０００から構成されるシステムで本発明を実現することも可能である。この場合、電子辞書端末１０００においては、各種辞書ＤＢやテーブル等のデータや辞書検索プログラム５４等を記憶しておく必要がなく、また、辞書検索処理等を実行する必要もない。このため、電子辞書端末１０００は、演算処理能力が比較的低いＣＰＵ１０や記憶容量等が比較的小さいＲＯＭ１０４０等を有する携帯電話機等の電子辞書端末１０００であっても良い。
【０１１６】
【発明の効果】
請求項１又は６に記載の発明によれば、集合情報の中から選択された見出し語及びこの見出し語に対応する説明情報を表示制御するとともに、この表示制御した情報の中から指定された注目位置に基づいて、集合情報の見出し語の文字種別に適う検索語候補を抽出することができる。そして、抽出した検索語候補を表示制御するとともに、この検索語候補に適合する見出し語に対応する説明情報及びこの見出し語を表示制御することができる。即ち、注目位置に基づいて、集合情報の見出し語の文字種別に適う語句が検索語候補として抽出されるので、例えば指定した注目位置とユーザが検索したい語句の位置とが必ずしも一致しなくとも、当該語句を検索語候補として抽出し、この語句についての再検索が可能となる。
【０１１７】
また、請求項２に記載の発明によれば、見出し語の文字種別が異なる複数種類の集合情報を記憶している場合に、この集合情報の種類毎に、その見出し語の文字種別に適う検索語候補を注目位置に基づいて抽出し、集合情報の種類に対応付けて表示制御することができる。従って、集合情報の種類毎に、適切な検索語候補が抽出され、この検索語候補についての再検索が可能となる。
【０１１８】
また、請求項３に記載の発明によれば、集合情報指定キーの操作によって指定された集合情報から、これについての検索語候補に適合する見出し語に対応する説明情報及びこの見出し語を表示制御することができる。更に、抽出した検索語候補を、各集合情報に対応した集合情報指定キーの配置位置関係に則した配列で表示制御できる。このため、ユーザは、再検索を行いたい集合情報を指定するための集合情報指定キーを容易に見付け出して操作することが可能となる。
【０１１９】
また、請求項４に記載の発明によれば、指定された注目位置に位置する文字の文字種別がアルファベットである場合に、このアルファベットの文字を仮名文字（ひらがな及びカタカナを含む。）に変換することにより、変換後の文字を検索語候補として抽出することができる。このため、例えば英和辞書等の見出し語の文字種別がアルファベットである辞書のみならず、アルファベットの文字を仮名文字に変換して、例えば国語辞書等見出し語の文字種別が“ひらがな”や“カタカナ”である辞書においても、再検索が可能となる。
【０１２０】
更に、請求項５又は７に記載の発明によれば、集合情報の中から選択された見出し語及びこの見出し語に対応する説明情報を利用者端末へ送信するとともに、この送信した情報の中から指定された注目位置に基づいて、集合情報の見出し語の文字種別に適う検索語候補を抽出することができる。そして、抽出した検索語候補を利用者端末へ送信するとともに、この検索語候補に適合する見出し語に対応する説明情報及びこの見出し語を利用者端末に送信することができる。即ち、注目位置に基づいて、集合情報の見出し語の文字種別に適う語句が検索語候補として抽出されるので、例えば指定した注目位置とユーザが検索したい語句の位置とが必ずしも一致しなくとも、当該語句を検索語候補として抽出し、この語句についての再検索が可能となる。
【図面の簡単な説明】
【図１】本発明を適用した携帯型電子辞書の外観例を示す図。
【図２】表示画面の一例を示す図。
【図３】携帯型電子辞書の内部構成を示すブロック図。
【図４】国語辞書ＤＢのデータ構成例を示す図。
【図５】百科事典ＤＢのデータ構成例を示す図。
【図６】第１英和辞書ＤＢのデータ構成例を示す図。
【図７】第２英和辞書ＤＢのデータ構成例を示す図。
【図８】英カナ変換テーブルのデータ構成例を示す図。
【図９】検索語候補抽出基準テーブルのデータ構成例を示す図。
【図１０】検索語候補テーブルのデータ格納例を示す図。
【図１１】辞書検索処理に係る携帯型電子辞書の動作を説明するためのフローチャート。
【図１２】第１操作例における表示画面の遷移例を示す図。
【図１３】第２操作例における表示画面の遷移例を示す図。
【図１４】第３操作例における表示画面の遷移例を示す図。
【図１５】第４操作例における表示画面の遷移例を示す図。
【図１６】電子辞書システムの概略構成を示す図。
【符号の説明】
１  携帯型電子辞書
１０  ＣＰＵ
２０  入力部
３０表示部
４０  ＲＯＭ
４１  国語辞書ＤＢ
４２  百科事典ＤＢ
４３  第１英和辞書ＤＢ
４４  第２英和辞書ＤＢ
４５  漢和辞書ＤＢ
４６  英カナ変換テーブル
４７  検索語候補抽出基準テーブル
４８  辞書検索プログラム
５０  ＲＡＭ
５１  指定辞書格納領域
５２  カーソル指定文字格納領域
５３  検索語候補格納領域
５４  ジャンプ先辞書格納領域
７０  検索語候補テーブル
【図１】
2004295629.tif 000003
【図２】
2004295629.tif 000004
【図３】
2004295629.tif 000005
【図４】
2004295629.tif 000006
【図５】
2004295629.tif 000007
【図６】
2004295629.tif 000008
【図７】
2004295629.tif 000009
【図８】
2004295629.tif 000010
【図９】
2004295629.tif 000011
【図１０】
2004295629.tif 000012
【図１１】
2004295629.tif 000013
【図１２】
2004295629.tif 000014
【図１３】
2004295629.tif 000015
【図１４】
2004295629.tif 000016
【図１５】
2004295629.tif 000017
【図１６】
2004295629.tif 000018